(57)【要約】【課題】球回収口へ案内される遊技球に、後続の遊技球の特別入賞口への入賞を補助する機能を持たせることができる遊技機を提供する。【解決手段】誘導回転体６６の外周には特別球保持部７１と回収球保持部７２とを設け、特別球保持部７１は、側方案内路６９の下流端６９ｂに対向し得る箇所に特別保持開口７１ａを開放し、特別保持開口７１ａから受け入れた遊技球を特別入賞口へ誘導し、回収球保持部７２は、側方案内路６９の下流端６９ｂに対向し得る箇所に回収保持開口７２ａを開放し、回収保持開口７２ａから受け入れた遊技球を球回収口へ誘導し、下方案内路は、球排出口よりも上流側の位置から分岐した分岐案内路の流路端を誘導回転体６６の下部へ臨ませ、回収球保持部７２のうち回収保持開口７２ａとは異なる箇所に開放された分岐側受入口７２ｄと分岐案内路の流路端とを連通して、遊技球を分岐案内路から回収球保持部７２へ受入可能とした。【選択図】図１６
2010214044.tif 000002
【特許請求の範囲】
【請求項１】
開閉部材を開いて遊技球を内部へ流入可能となる変動入賞装置を備え、該変動入賞装置内には、遊技球が入賞可能な特別入賞口と、該特別入賞口へ入賞しない遊技球を回収する球回収口と、を設け、遊技球の特別入賞口への入賞に基づき特別遊技状態を発生させて、予め定められた特別遊技価値を遊技者へ付与可能な遊技機において、
前記変動入賞装置は、前後方向へ延在した姿勢の誘導回転軸を中心にして回転可能な誘導回転体と、該誘導回転体を回転する回転駆動源と、当該変動入賞装置内に流入した遊技球を誘導回転体の側方へ向けて案内する側方案内路と、該側方案内路よりも下方に配置され、遊技球を転動可能な下方案内路と、該下方案内路の下流端へ連通し、下方案内路を転動してきた遊技球を変動入賞装置の外方へ排出する球排出口と、を備え、
前記誘導回転体の外周には、遊技球を受け入れて保持可能な特別球保持部と回収球保持部とを設け、
前記特別球保持部は、当該特別球保持部のうち側方案内路の下流端に対向し得る箇所を開放して特別保持開口とし、側方案内路から特別保持開口へ通して受け入れた遊技球を保持し、この状態で誘導回転軸周りに回転してから特別入賞口に連通して遊技球を特別入賞口へ誘導し、
前記回収球保持部は、当該回収球保持部のうち側方案内路の下流端に対向し得る箇所を開放して回収保持開口とし、側方案内路から回収保持開口へ通して受け入れた遊技球を保持し、この状態で誘導回転軸周りに回転してから球回収口に連通して遊技球を球回収口へ誘導し、
前記下方案内路は、球排出口よりも上流側の位置から分岐案内路を分岐し、該分岐案内路の流路端を誘導回転体の下部へ臨ませ、
前記回収球保持部のうち回収保持開口とは異なる箇所を開放して分岐側受入口とし、該分岐側受入口と分岐案内路の前記流路端とを連通して、遊技球を分岐案内路から回収球保持部へ受入可能とし、
前記誘導回転体を、特別球保持部および回収球保持部が分岐案内路の前記流路端側から側方案内路の下流端側へ移動する回転方向、且つ回収球保持部の後に続いて特別球保持部が移動する状態で回転した場合において、該回収球保持部に遊技球を分岐案内路から受け入れて保持し、この遊技球を保持した回収球保持部の回収保持開口を側方案内路の下流端へ連通すると、回収球保持部に予め保持された遊技球が側方案内路から流下してくる遊技球の回収球保持部への進入を阻止し、該回収球保持部への進入を阻止された遊技球が特別球保持部に保持されることを特徴とする遊技機。
【請求項２】
前記変動入賞装置は、振分回転軸を中心にして回転可能な振分回転体を備え、該振分回転体を前記回転駆動源により回転駆動し、遊技球を回転状態の振分回転体へ当接して側方案内路または下方案内路へ振り分け可能とし、
前記側方案内路には、当該側方案内路上へ出没可能な出没突起を備え、該出没突起を前記回転駆動源とは異なる出没駆動源により出没駆動することを特徴とする請求項１に記載の遊技機。
【請求項３】
前記振分回転体は、互いに離間する複数の振分突起を振分回転軸上から外れた位置に振分回転軸方向へ沿って突設したことを特徴とする請求項２に記載の遊技機。
【請求項４】
前記特別球保持部のうち分岐案内路の前記流路端に対向し得る箇所に流入阻止壁を設け、遊技球が分岐案内路から特別球保持部へ流入することを流入阻止壁により阻止可能としたことを特徴とする請求項１から請求項３のいずれかに記載の遊技機。
【発明の詳細な説明】
【技術分野】
【０００１】
本発明は、開閉部材を開いて遊技球を内部へ流入可能となる変動入賞装置を備え、該変動入賞装置内には、遊技球が入賞可能な特別入賞口と、該特別入賞口へ入賞しない遊技球を回収する球回収口とを設けたパチンコ遊技機等の遊技機に関する。
【背景技術】
【０００２】
従来の遊技機、例えば、パチンコ遊技機においては、遊技領域内に変動入賞装置を備え、変動入賞装置の開閉部材を開いて遊技球を変動入賞装置内へ流入可能とし、この遊技球が変動入賞装置内に設けられた特別入賞口へ入賞すると、特別遊技状態を発生させて、予め定められた特別遊技価値を遊技者へ付与可能とする一方、特別入賞口へ入賞しない場合にはこの遊技球を球回収口へ回収するものがある。そして、変動入賞装置内の一側寄りに誘導回転体を回転軸が横向きになった姿勢で備え、誘導回転体の外周部には複数の球保持部（切欠部）を設け、特定の球保持部に保持された遊技球を特別入賞口（Ｖ入賞口）へ誘導し、他の球保持部に保持された遊技球を誘導回転体の下方に設けられた球受流下部へ落下させて一般入賞口へ送るように構成する旨が提案されている。さらに、変動入賞装置内には、遊技球を誘導回転体へ案内する案内流路を設け、該案内流路の途中には突起を出没可能な状態で配置し、変動入賞装置内を流下する遊技球の動きが複雑になるように構成する旨が提案されている（例えば、特許文献１参照）。
【先行技術文献】
【特許文献】
【０００３】
【特許文献１】特許第２８１１５９１号公報
【発明の概要】
【発明が解決しようとする課題】
【０００４】
ところで、上記特許文献に記載のパチンコ遊技機においては、球受流下部へ流下した遊技球は、遊技の興趣の向上に寄与する動作を何ら行わずに一般入賞口へ回収されるだけである。この結果、変動入賞装置内の遊技球の挙動が単調になりがちであり、遊技者が短期で遊技に飽きてしまう虞があるため、好ましくない。
【０００５】
そこで、本発明は、上記の事情に鑑みてなされたものであり、その目的は、球回収口へ案内される遊技球に、後続の遊技球の特別入賞口への入賞を補助する機能を持たせることができ、遊技の興趣の向上を図ることができる遊技機を提供しようとするものである。
【課題を解決するための手段】
【０００６】
本発明は、上記目的を達成するために提案されたものであり、請求項１に記載のものは、開閉部材を開いて遊技球を内部へ流入可能となる変動入賞装置を備え、該変動入賞装置内には、遊技球が入賞可能な特別入賞口と、該特別入賞口へ入賞しない遊技球を回収する球回収口と、を設け、遊技球の特別入賞口への入賞に基づき特別遊技状態を発生させて、予め定められた特別遊技価値を遊技者へ付与可能な遊技機において、
前記変動入賞装置は、前後方向へ延在した姿勢の誘導回転軸を中心にして回転可能な誘導回転体と、該誘導回転体を回転する回転駆動源と、当該変動入賞装置内に流入した遊技球を誘導回転体の側方へ向けて案内する側方案内路と、該側方案内路よりも下方に配置され、遊技球を転動可能な下方案内路と、該下方案内路の下流端へ連通し、下方案内路を転動してきた遊技球を変動入賞装置の外方へ排出する球排出口と、を備え、
前記誘導回転体の外周には、遊技球を受け入れて保持可能な特別球保持部と回収球保持部とを設け、
前記特別球保持部は、当該特別球保持部のうち側方案内路の下流端に対向し得る箇所を開放して特別保持開口とし、側方案内路から特別保持開口へ通して受け入れた遊技球を保持し、この状態で誘導回転軸周りに回転してから特別入賞口に連通して遊技球を特別入賞口へ誘導し、
前記回収球保持部は、当該回収球保持部のうち側方案内路の下流端に対向し得る箇所を開放して回収保持開口とし、側方案内路から回収保持開口へ通して受け入れた遊技球を保持し、この状態で誘導回転軸周りに回転してから球回収口に連通して遊技球を球回収口へ誘導し、
前記下方案内路は、球排出口よりも上流側の位置から分岐案内路を分岐し、該分岐案内路の流路端を誘導回転体の下部へ臨ませ、
前記回収球保持部のうち回収保持開口とは異なる箇所を開放して分岐側受入口とし、該分岐側受入口と分岐案内路の前記流路端とを連通して、遊技球を分岐案内路から回収球保持部へ受入可能とし、
前記誘導回転体を、特別球保持部および回収球保持部が分岐案内路の前記流路端側から側方案内路の下流端側へ移動する回転方向、且つ回収球保持部の後に続いて特別球保持部が移動する状態で回転した場合において、該回収球保持部に遊技球を分岐案内路から受け入れて保持し、この遊技球を保持した回収球保持部の回収保持開口を側方案内路の下流端へ連通すると、回収球保持部に予め保持された遊技球が側方案内路から流下してくる遊技球の回収球保持部への進入を阻止し、該回収球保持部への進入を阻止された遊技球が特別球保持部に保持されることを特徴とする遊技機である。
【０００７】
請求項２に記載のものは、前記変動入賞装置は、振分回転軸を中心にして回転可能な振分回転体を備え、該振分回転体を前記回転駆動源により回転駆動し、遊技球を回転状態の振分回転体へ当接して側方案内路または下方案内路へ振り分け可能とし、
前記側方案内路には、当該側方案内路上へ出没可能な出没突起を備え、該出没突起を前記回転駆動源とは異なる出没駆動源により出没駆動することを特徴とする請求項１に記載の遊技機である。
【０００８】
請求項３に記載のものは、前記振分回転体は、互いに離間する複数の振分突起を振分回転軸上から外れた位置に振分回転軸方向へ沿って突設したことを特徴とする請求項２に記載の遊技機である。
【０００９】
請求項４に記載のものは、前記特別球保持部のうち分岐案内路の前記流路端に対向し得る箇所に流入阻止壁を設け、遊技球が分岐案内路から特別球保持部へ流入することを流入阻止壁により阻止可能としたことを特徴とする請求項１から請求項３のいずれかに記載の遊技機である。
【発明の効果】
【００１０】
本発明によれば、以下のような優れた効果を奏する。
請求項１に記載の発明によれば、変動入賞装置は、前後方向へ延在した姿勢の誘導回転軸を中心にして回転可能な誘導回転体と、該誘導回転体を回転する回転駆動源と、当該変動入賞装置内に流入した遊技球を誘導回転体の側方へ向けて案内する側方案内路と、該側方案内路よりも下方に配置され、遊技球を転動可能な下方案内路と、該下方案内路の下流端へ連通し、下方案内路を転動してきた遊技球を変動入賞装置の外方へ排出する球排出口と、を備え、誘導回転体の外周には、遊技球を受け入れて保持可能な特別球保持部と回収球保持部とを設け、特別球保持部は、当該特別球保持部のうち側方案内路の下流端に対向し得る箇所を開放して特別保持開口とし、側方案内路から特別保持開口へ通して受け入れた遊技球を保持し、この状態で誘導回転軸周りに回転してから特別入賞口に連通して遊技球を特別入賞口へ誘導し、回収球保持部は、当該回収球保持部のうち側方案内路の下流端に対向し得る箇所を開放して回収保持開口とし、側方案内路から回収保持開口へ通して受け入れた遊技球を保持し、この状態で誘導回転軸周りに回転してから球回収口に連通して遊技球を球回収口へ誘導し、下方案内路は、球排出口よりも上流側の位置から分岐案内路を分岐し、該分岐案内路の流路端を誘導回転体の下部へ臨ませ、回収球保持部のうち回収保持開口とは異なる箇所を開放して分岐側受入口とし、該分岐側受入口と分岐案内路の前記流路端とを連通して、遊技球を分岐案内路から回収球保持部へ受入可能とし、誘導回転体を、特別球保持部および回収球保持部が分岐案内路の前記流路端側から側方案内路の下流端側へ移動する回転方向、且つ回収球保持部の後に続いて特別球保持部が移動する状態で回転した場合において、該回収球保持部に遊技球を分岐案内路から受け入れて保持し、この遊技球を保持した回収球保持部の回収保持開口を側方案内路の下流端へ連通すると、回収球保持部に予め保持された遊技球が側方案内路から流下してくる遊技球の回収球保持部への進入を阻止し、該回収球保持部への進入を阻止された遊技球が特別球保持部に保持されるので、遊技球が分岐案内路から回収球保持部へ保持された場合には、側方案内路から誘導回転体へ向けて案内される別個の遊技球が、回収球保持部の後に続いて移動してくる特別球保持部へ進入し易くなる。このことから、球回収口へ案内される遊技球に、後続の遊技球の特別球保持部への進入、ひいては特別入賞口への入賞を補助する機能を持たせることができる。これにより、遊技者は、遊技球が回収球保持部に保持されて球回収口に回収されることになったとしても、この遊技球の作用に注目するようになり、遊技の興趣の向上を図ることができる。
【００１１】
請求項２に記載の発明によれば、変動入賞装置は、振分回転軸を中心にして回転可能な振分回転体を備え、該振分回転体を前記回転駆動源により回転駆動し、遊技球を回転状態の振分回転体へ当接して側方案内路または下方案内路へ振り分け可能とし、側方案内路には、当該側方案内路上へ出没可能な出没突起を備え、該出没突起を前記回転駆動源とは異なる出没駆動源により出没駆動するので、変動入賞装置内の遊技球の動きを複雑にすることができる。また、誘導回転体および振分回転体の回転と、出没突起の出没動作とが同期することを避けることができ、遊技者が遊技球の発射のタイミングを取って特別球保持部に遊技球を進入し易くなること、ひいては特別入賞口への入賞を獲得し易くなることを抑制することができる。
【００１２】
請求項３に記載の発明によれば、振分回転体は、互いに離間する複数の振分突起を振分回転軸上から外れた位置に振分回転軸方向へ沿って突設したので、遊技球の振り分けを行い易い構造の振分回転体を簡単な構成で実現することができる。また、遊技球が振り分けられる様子を遊技者に見せ易い。
【００１３】
請求項４に記載の発明によれば、特別球保持部のうち分岐案内路の前記流路端に対向し得る箇所に流入阻止壁を設け、遊技球が分岐案内路から特別球保持部へ流入することを流入阻止壁により阻止可能としたので、変動入賞装置内の遊技球が特別入賞口へ入賞する確率が高くなりすぎることを抑えることができる。
【図面の簡単な説明】
【００１４】
【図１】遊技盤の正面図である。
【図２】表示ユニットの説明図である。
【図３】各特図変動表示ゲームに関する遊技の流れを示す説明図である。
【図４】変動入賞装置の斜視図である。
【図５】変動入賞装置の断面図であり、（ａ）は図１におけるＡ−Ａ断面図、（ｂ）は図１におけるＢ−Ｂ断面図である。
【図６】変動入賞装置の分解斜視図である。
【図７】球移動空間部の斜視図である。
【図８】球移動空間部の正面図である。
【図９】下方案内路およびその周辺の構成の斜視図である。
【図１０】回転体ユニットの分解斜視図である。
【図１１】誘導回転体および流路形成部材の分解斜視図である。
【図１２】振分回転体の斜視図である。
【図１３】ベースユニットの分解斜視図である。
【図１４】（ａ）は出没突起を突出した状態の説明図、（ｂ）は出没突起を没入した状態の説明図である。
【図１５】制御系統の説明に供するブロック構成図である。
【図１６】回収球保持部内の遊技球の作用を示す説明図であり、（ａ）は遊技球が分岐側受入口から回収球保持部へ受け入れられた状態図、（ｂ）は回収球保持部内の遊技球が他の遊技球の進入を阻止する状態図、（ｃ）は回収球保持部内への進入を阻止された遊技球が特別球保持部へ保持された状態図である。
【図１７】球詰まり監視処理のフローチャートである。
【発明を実施するための形態】
【００１５】
以下、代表的な遊技機であるパチンコ遊技機を例に挙げて本発明の実施の形態を図面に基づき説明する。
パチンコ遊技機の遊技盤１は、図１に示すように、矩形状の遊技盤本体２の表面にガイドレール３や複数のサイドケース４等の区画部材を装着して遊技領域５を区画形成し、該遊技領域５内の略中央には変動入賞装置（センターケース）７を配設し、該変動入賞装置７の上部に第１大入賞口８を設けている。また、遊技領域５のうち変動入賞装置７の一側方（図１中、左側方）には普図始動ゲート９を配置し、該普図始動ゲート９の上方および下方には一般入賞口１０を配置し、変動入賞装置７の他側方（図１中、右側方）には、遊技の進行予定や進行状態などを発光や回転体の回転により報知する報知装置１２および連続予告記憶表示装置１３を配置している。さらに、変動入賞装置７の下方には、複数の始動入賞口（第１始動口１６、第２始動口１７）を横に並べた状態で備えている。具体的には、遊技領域５の左右両側寄りに第１始動口１６をそれぞれ配置し、遊技領域５の中央側には、羽根状の普通電動役物１７ａが左右に備えられた第２始動口１７を配置している。そして、第２始動口１７の下方には第２大入賞口（アタッカー）１８を配置し、該第２大入賞口１８の下方に位置する遊技領域５の下端には、入賞せずに流下してきた遊技球を回収するアウト口１９を設けている。
【００１６】
また、サイドケース４の下部のうち第２大入賞口１８を挟んでガイドレール３とは反対側に位置する箇所には、遊技の進行に伴って変化する情報を発光により表示する表示ユニット２１を備えている。表示ユニット２１は、図２に示すように、ユニット基板２２の表面に複数の電気部品を実装して構成されている。具体的には、普通図柄表示器２３、普図始動記憶表示器２４、第１特図始動記憶表示器２５、第２特図始動記憶表示器２６、決定ラウンド数表示器２７として機能する複数のＬＥＤ（点状発光体）と、第１特別図柄表示器２８および第２特別図柄表示器２９として機能する２つの７セグメントＬＥＤとを実装している。
【００１７】
普通図柄表示器２３は、遊技球の普図始動ゲート９への入賞（通過）を契機として普図変動表示ゲーム（補助遊技）を行う表示器であり、普図変動表示ゲーム時に発光態様（例えば２つのＬＥＤの点灯状態）を異ならせて普通図柄（普図）を表示するように構成されている。そして、普図変動表示ゲームの結果態様が「当たり」を示す状態になった場合には第２始動口１７の普通電動役物１７ａが開いて、遊技球が第２始動口１７へ入賞し易い状態に変換する。さらに、普通図柄表示器２３の側方には普図始動記憶表示器２４を配置し、遊技球が普図始動ゲート９を通過したが未処理となっている普図変動表示ゲームの回数を所定数（例えば４個）まで表示できるように構成されている。
【００１８】
第１特別図柄表示器２８は、遊技球の第１始動口１６への入賞Ｐ１（図３参照）を始動条件として第１特図変動表示ゲーム（第１特別遊技）を行う表示器であり、第１特図変動表示ゲーム時Ｐ２（図３参照）に数字、記号等の第１特別図柄（第１特図）を変動表示するように構成されている。また、第２特別図柄表示器２９は、遊技球の第２始動口１７への入賞Ｐ１（図３参照）を始動条件として第２特図変動表示ゲーム（第２特別遊技）を行う表示器であり、第２特図変動表示ゲーム時Ｐ２（図３参照）に数字、記号等の第２特別図柄（第２特図）を変動表示するように構成されている。そして、図３に示すように、第１特図変動表示ゲームまたは第２特図変動表示ゲームの表示態様が予め定めた特別の結果態様になったときには、第１大入賞口８（変動入賞装置７）または第２大入賞口１８が予め設定された動作を行う。例えば、表示態様が「当たり」を示す結果態様Ｐ３になったときには、後述する第１大入賞口８の開閉部材８ａを所定時間（０．３秒）開いて遊技球の変動入賞装置７内への進入（第１大入賞口８への入賞）を許容する（Ｐ４）。また、表示態様が「当たり」よりも発生確率が低い「大当たり」を示す結果態様Ｐ５になったときには、第２大入賞口１８を所定時間および所定回数だけ開放して、遊技球の第２大入賞口１８への入賞を許容する（Ｐ６）。なお、表示態様が「ハズレ」を示す結果態様Ｐ７になったときには、第１大入賞口８および第２大入賞口１８を閉じた状態のままに維持して通常の遊技状態Ｐ８に戻る。また、図１に示すように、各特図変動表示ゲームの結果を報知する報知ランプ（当たり報知ランプ３１、大当たり報知ランプ３２）を変動入賞装置７の前面下部に備え、遊技者が各特図変動表示ゲームの結果を把握し易いように構成されている。
【００１９】
さらに、第１特別図柄表示器２８の側方には第１特図始動記憶表示器２５を配置し、遊技球が第１始動口１６に入賞したが未処理となっている第１特図変動表示ゲームの回数を所定数（例えば４個）まで表示できるように構成されている。また、第２特別図柄表示器２９の側方には第２特図始動記憶表示器２６を配置し、遊技球が第２始動口１７に入賞したが未処理となっている第２特図変動表示ゲームの回数を所定数（例えば４個）まで表示できるように構成されている。そして、表示ユニット２１の上部には決定ラウンド数表示器２７を配置し、前記「大当たり」状態Ｐ５となった場合に、第２大入賞口１８の開閉を繰り返すラウンドの実行回数を２回（２Ｒ）、１５回（１５Ｒ）、１６回（１６Ｒ）の中から選択して決定し、この決定した回数を決定ラウンド数表示器２７で表示する。なお、第１特図始動記憶表示器２５と同じ内容（点灯）を表示する第１記憶報知ランプ３３を、遊技領域５の一側寄り（図１中、左寄り）に位置する第１始動口１６の前面側に備えるとともに、第２特図始動記憶表示器２６と同じ内容（点灯）を表示する第２記憶報知ランプ３４を、遊技領域５の他側寄り（図１中、右寄り）に位置する第２始動口１７の前面側に備え、遊技者が各特図変動表示ゲームの未処理回数を把握し易いように構成されている。
【００２０】
次に、変動入賞装置７について説明する。
変動入賞装置７は、図４〜図６に示すように、当該変動入賞装置７の基部となるベースユニット４１と、該ベースユニット４１の後方に配置された回転体ユニット４２と、ベースユニット４１と回転体ユニット４２との間に挟まれる状態で配置された可動装飾ユニット４３とを備えて概略構成されている。そして、ベースユニット４１の外周縁にはフランジ状の取付基部４４を外方へ向けて突設し、該取付基部４４を遊技盤本体２の前面側に止着して変動入賞装置７を遊技盤１へ装着可能としている。また、ベースユニット４１の前面側の中央部には、遊技球が移動可能となる横向き矩形状の球移動空間部４６を取付基部４４から後方へ凹ませて形成し（図６参照）、該球移動空間部４６の前方には透明な空間部カバー４７を止着して球移動空間部４６を被覆し、空間部カバー４７を通して球移動空間部４６内（詳しくは球移動空間部４６内の遊技球）を遊技盤１の前方から視認できるように構成されている。さらに、球移動空間部４６の後部には透明な装飾視認窓４８を設け、該装飾視認窓４８の左右方向の中央部から可動装飾ユニット４３を前方へ臨ませ、可動装飾ユニット４３に装備された可動装飾具４９の動作を、装飾視認窓４８、球移動空間部４６、空間部カバー４７を通して遊技盤１の前方から視認可能とし、さらには球移動空間部４６内の遊技球が可動装飾ユニット４３側へ転動することを装飾視認窓４８により阻止するように構成されている。
【００２１】
また、空間部カバー４７の上縁部には鎧部５１を左右両側方へ下り傾斜した姿勢で備え、該鎧部５１の左右両側端から側辺部５２を下方へ向けて延設し、左右の側辺部５２の下端同士の間には下辺部５３を備え、鎧部５１、側辺部５２、下辺部５３を空間部カバー４７から変動入賞装置７の前方へ向けて突設して、遊技領域５内を流下する遊技球が第１大入賞口８を通過せずに変動入賞装置７内（詳しくは変動入賞装置７のうち球移動空間部４６の前方の位置）へ侵入することを阻止している。なお、下辺部５３の前端部には横長な報知パネル５４を止着し、該報知パネル５４の前面に報知ランプ（当たり報知ランプ３１、大当たり報知ランプ３２）を備えている。さらに、ベースユニット４１の前面のうち鎧部５１の中央部の上方に位置する箇所には第１大入賞口８を鎧部５１の前端部と同じ位置まで前方へ突出した状態で備え（図５（ｂ）参照）、該第１大入賞口８の左右両側部には羽根状の開閉部材８ａを設け、該開閉部材８ａを開いて遊技球を第１大入賞口８へ受け入れ可能とし、開閉部材８ａを閉じると遊技球を第１大入賞口８へ受け入れ不能としている。そして、ベースユニット４１の上部と、該ベースユニット４１の上部の後方に止着される中継基板ホルダ５５との間には開閉駆動ソレノイド５６を配置して開閉部材８ａへ接続し、開閉駆動ソレノイド５６に制御信号を送信して開閉部材８ａの開閉動作を実行可能としている。また、第１大入賞口８の下部の前面側には第１大入賞装飾パネル５７を装着し、該第１大入賞装飾パネル５７の後方には、第１大入賞口８へ進入（入賞）した遊技球を検出可能な第１大入賞球検出センサ５８を設け（図１参照）、第１大入賞口８の下部を球移動空間部４６の上部へ開放し、第１大入賞球検出センサ５８に検出された遊技球（言い換えると、第１大入賞口８へ入賞した遊技球）が球移動空間部４６の上部へ流入するように構成されている。
【００２２】
さらに、図７および図８に示すように、球移動空間部４６の上部には、第１大入賞口８から流下してきた遊技球（入賞球）を流下させる入賞球流路６０を球移動空間部４６の中央部から一側（図７中、左側）へ向けて横方向に下り傾斜した姿勢で設けている。そして、該入賞球流路６０の傾斜下端の下方には、回転体ユニット４２の前面の一側（図６中、左側）に装着された振分回転体６１を、前後方向へ延在した姿勢の振分回転軸６２を中心にして回転可能な状態で臨ませ、該振分回転体６１に遊技球（入賞球流路６０を流下してきた遊技球）を当接して振分回転体６１の下方や側方へ振り分け可能としている。また、振分回転体６１の一側方、具体的には振分回転体６１を挟んで第１大入賞口８とは反対の側方（図７中、左側方）には長尺な縦向き円弧状の下方振分流路６３を振分回転体６１の外周に沿って延設し、該下方振分流路６３の下端を振分回転体６１の直下に臨ませている。さらに、振分回転体６１の他側方、具体的には第１大入賞口８側の側方（図７中、右側方）には短尺な円弧状の側方振分流路６４を振分回転体６１の外周に沿って延設し、該側方振分流路６４の下端を振分回転体６１の上下方向の中央部の側方へ臨ませている。また、球移動空間部４６の他側、言い換えると球移動空間部４６の中央部を挟んで振分回転体６１とは反対側（図７中、右側）には、回転体ユニット４２の前面の他側（図６中、右側）に装着された厚肉円板状の誘導回転体６６を、前後方向へ延在した姿勢の誘導回転軸６７を中心にして回転可能な状態で臨ませ、誘導回転軸６７を振分回転軸６２よりも下方へずらした位置に設定している（図８参照）。さらに、球移動空間部４６のうち振分回転体６１と誘導回転体６６との間の位置には、横長な側方案内路６９を振分回転体６１側から誘導回転体６６側へ向けて下り傾斜した姿勢で設けている。そして、該側方案内路６９の上流端６９ａを側方振分流路６４の下端の直下に臨ませるとともに、側方案内路６９の下流端６９ｂを誘導回転体６６のうち振分回転体６１寄り（図８中、左寄り）の側方に臨ませて、側方案内路６９に流入してきた遊技球を誘導回転体６６の側方へ向けて案内するように構成されている。
【００２３】
また、誘導回転体６６のうち側方案内路６９の下流端６９ｂに臨み得る外周部には、１つの遊技球を受け入れて保持可能な特別球保持部７１と回収球保持部７２とを設け、誘導回転体６６の後方には、遊技球が入賞可能な特別入賞口（Ｖ入賞口）７３と、該特別入賞口７３へ入賞しない遊技球を回収する球回収口７４とを設け、誘導回転体６６を回転することで特別球保持部７１に保持された遊技球を特別入賞口７３へ誘導したり、回収球保持部７２に保持された遊技球を球回収口７４へ誘導したりするように構成されている（図１１参照）。なお、誘導回転体６６、特別入賞口７３、球回収口７４の構成については、後で詳細に説明する。
【００２４】
さらに、図７および図８に示すように、球移動空間部４６のうち振分回転体６１の直下に位置する箇所、言い換えると下方振分流路６３の下端を臨ませた箇所には、前方の空間部カバー４７側へ向けて下り傾斜した球誘導棚７６を備え、該球誘導棚７６と側方案内路６９の上流端６９ａとの間には球転動阻止壁７７を立設し、側方案内路６９と球誘導棚７６との間で遊技球が移動することを球転動阻止壁７７により阻止可能としている。そして、図９に示すように、空間部カバー４７のうち球誘導棚７６の傾斜下端に対向する箇所には、遊技球が通過可能な球開放口７８を開設し、空間部カバー４７の前面側のうち側方案内路６９よりも下方の位置には、横長な下方案内路７９を球開放口７８から変動入賞装置７の左右方向の中央側へ向けて下り傾斜した姿勢で備え、球誘導棚７６に載った遊技球を球開放口７８から空間部カバー４７の前方へ誘導して下方案内路７９へ転動させるように構成されている。さらに、下方案内路７９の下流部を後方へ下り傾斜した状態で屈曲して空間部カバー４７へ貫通し、ベースユニット４１のうち下方案内路７９の下流端の後方に位置する箇所には球排出口８０を開設して下方案内路７９の下流端へ連通するとともに、球排出口８０の後方には球排出流路８１（図１３参照）の上流端を連通し、下方案内路７９を転動してきた遊技球を球排出口８０および球排出流路８１へ通し、変動入賞装置７の外方へ排出するように構成されている。また、下方案内路７９のうち球排出口８０よりも上流側に位置する屈曲部７９ａから分岐案内路８３を誘導回転体６６側（図９中、右側）へ向けて緩やかに上り傾斜した姿勢で分岐し、該分岐案内路８３の傾斜上端に位置する下流端（本発明における分岐案内路の流路端に相当）を誘導回転体６６の下部の前方に設定するとともに、分岐案内路８３の下流端から分岐転動傾斜部８４を後方の誘導回転体６６へ向けて下り傾斜した姿勢で備えている。そして、空間部カバー４７のうち分岐案内路８３の下流端の後方に位置する箇所を開放して分岐連通口８５とし、該分岐連通口８５を介して分岐案内路８３の下流端を誘導回転体６６の下部へ臨ませ、遊技球が分岐案内路８３の下流端から誘導回転体６６の下部側へ向けて移動できるように構成されている。
【００２５】
次に、振分回転体６１および誘導回転体６６が軸着された回転体ユニット４２、振分回転体６１、誘導回転体６６について説明する。
回転体ユニット４２は、図５，図６，図１０に示すように、回転体ユニット４２の基部となる横長なユニットケース８８を備え、該ユニットケース８８の前面の一側（図１０中、左側）には、振分側発光基板８９が内蔵された振分側軸受ベース９０を設け、該振分側軸受ベース９０およびユニットケース８８に振分回転軸６２を前後方向へ貫通するとともに、振分側軸受ベース９０およびユニットケース８８に装着されたに装着された振分側軸受９１（図５（ａ）参照）により振分回転軸６２を回転可能な状態で支持し、振分回転軸６２の前端を振分側軸受ベース９０の前方へ突出して振分回転体６１を止着し、振分回転軸６２の後端をユニットケース８８の後方に突出している。また、ユニットケース８８の前面の他側（図１０中、右側）には誘導側装着基部９３を下方へ延設し、該誘導側装着基部９３の前面には、特別入賞口７３および球回収口７４が開設された流路形成部材９４を止着し、後面には誘導側発光基板９５を基板ブラケット９６の前面に装着された状態で止着している。さらに、流路形成部材９４、誘導側装着基部９３、誘導側発光基板９５、基板ブラケット９６に誘導回転軸６７を前後方向へ貫通するとともに、流路形成部材９４および基板ブラケット９６に装着された誘導側軸受９７（図５（ｂ）参照）により誘導回転軸６７を回転可能な状態で支持し、誘導回転軸６７の前端を流路形成部材９４の前方へ突出して誘導回転体６６を止着し、誘導回転軸６７の後端をユニットケース８８の後方へ突出している。なお、ユニットケース８８、振分側軸受ベース９０、振分回転体６１、誘導側装着基部９３、流路形成部材９４、誘導回転体６６は、透明樹脂などの透光性を有する部材で形成されており、各発光基板８９，９５からの光を変動入賞装置７の前方へ透過できるように構成されている。
【００２６】
また、ユニットケース８８の裏側には横長なモータブラケット１００を備え、該モータブラケット１００の裏面のうち左右方向の中央部には、誘導回転体６６および振分回転体６１を回転する回転駆動源としての回転駆動モータ１０１を出力軸がモータブラケット１００の前面側へ突出した姿勢で備え、回転駆動モータ１０１の出力軸の前端に駆動ギア１０２を止着している。また、駆動ギア１０２の一側方（図１０中、左側方）には振分回転ギア１０３を配置して振分回転軸６２の後端へ止着し、駆動ギア１０２の他側方（図１０中、右側方）には誘導回転ギア１０４を配置して誘導回転軸６７の後端へ止着し、駆動ギア１０２と振分回転ギア１０３とを振分伝達ギア１０５で接続するとともに、駆動ギア１０２と誘導回転ギア１０４とを誘導伝達ギア１０６で接続している。したがって、図８に示すように、回転駆動モータ１０１を駆動して駆動ギア１０２を変動入賞装置７の正面から見て時計方向へ回転すると、振分回転ギア１０３と誘導回転ギア１０４とが反時計方向へ回転するとともに、振分回転ギア１０３（振分回転軸６２）と誘導回転ギア１０４（誘導回転軸６７）とが時計方向へ回転し、これにより、振分回転体６１と誘導回転体６６とが回転駆動モータ１０１の回転力により回転駆動して時計方向へ回転する。このことから、振分回転体６１を回転駆動する駆動源と誘導回転体６６を回転駆動する駆動源とを別個に設ける場合に比べて、変動入賞装置７の構成部品や消費電力を少なく抑えることができ、変動入賞装置７の製造コストの低減を図ることができる。なお、振分回転ギア１０３、振分伝達ギア１０５、駆動ギア１０２、誘導伝達ギア１０６の後部をモータブラケット１００により被覆し、誘導回転ギア１０４の後方にはギアカバー１０７を配置して誘導回転ギア１０４の後部を被覆している。また、駆動ギア１０２の前面には舌片状の検出片１０２ａを突設し、ユニットケース８８に設けられた回転体位置検出センサ１０８により検出片１０２ａを検出して、振分回転体６１および誘導回転体６６の回転位置（姿勢）を把握できるように構成されている。
【００２７】
さらに、図１１に示すように、流路形成部材９４の円形状前面のうち誘導側軸受９７（誘導回転軸６７）よりも振分回転体６１側（図１１中、左側）の位置には特別入賞口７３を側方案内路６９の下流端６９ｂよりも上方に開設し、該特別入賞口７３から特別入賞流路１１１を流路形成部材９４の内部へ垂設し、特別入賞口７３へ進入（入賞）した遊技球が特別入賞流路１１１へ流下するように構成されている。さらに、特別入賞流路１１１の途中には、遊技球（入賞球）を検出可能な特別入賞球検出センサ１１２を備えている。そして、流路形成部材９４の円形状前面の上部、言い換えると流路形成部材９４の円形状前面のうち誘導回転軸６７を中心にして特別入賞口７３から時計方向（変動入賞装置７の正面から見て時計方向）へ位相をずらした位置には球回収口７４を切り欠いて開設し、球回収口７４と誘導回転軸６７との離間距離を、特別入賞口７３と誘導回転軸６７との離間距離よりも長く設定している。また、球回収流路１１３を球回収口７４から流路形成部材９４の内部へ垂設し、球回収口７４に回収された遊技球が球回収流路１１３へ流下するように構成されている。そして、球排出流路８１の下流端、特別入賞流路１１１の下流端、球回収流路１１３の下流端を球排出樋１１５（図１参照）の上流端へ接続して、変動入賞装置７内へ流入した遊技球を球排出樋１１５へ通して変動入賞装置７の外方へ排出可能としている。また、球排出樋１１５の途中には排出球検出センサ１１６を備え、変動入賞装置７から排出された遊技球を計数し、この計数結果と第１大入賞球検出センサ５８で検出された遊技球の計数結果とを照合して、遊技球が変動入賞装置７内に停留しているか否かを判断できるように構成されている。
【００２８】
振分回転体６１は、図１２に示すように、円板状の振分回転基部１１８を設け、該振分回転基部１１８の前面には、互いに離間する２つの振分突起１１９を振分回転軸６２上から外れた位置、詳しくは振分回転軸６２を挟んで両側に配置するとともに、振分回転軸６２方向に沿って振分回転基部１１８の前方へ突設している。また、各振分突起１１９の正面から見た形状を振分回転軸６２側から振分回転体６１の外周側へ向けて延在する円弧板状に設定し、両振分突起１１９の振分回転軸６２側に位置する縁部同士の間隔Ｄを遊技球の直径よりも狭くして、両振分突起１１９の間に遊技球が通過することを阻止している。そして、当該振分回転体６１を回転した状態で、遊技球を回転移動中の振分突起１１９へ当接して側方案内路６９または下方案内路７９へ振り分け可能としている。
【００２９】
誘導回転体６６は、図１１に示すように、誘導回転体６６の本体となる厚肉円板状の誘導基部１２１と、該誘導基部１２１の円形状前面に止着される回転パネル１２２とを備えて構成されている。また、誘導基部１２１の外周には１つの特別球保持部７１と４つの回収球保持部７２とを中心側（誘導回転軸６７側）へ向けて凹ませて１個の遊技球を受け入れて保持可能な大きさに形成し、各球保持部７１，７２を誘導回転体６６の周方向に沿って同位相ずらした位置に設定している。また、特別球保持部７１のうち側方案内路６９の下流端６９ｂに対向し得る箇所（言い換えると誘導回転体６６の外周側に位置する箇所）を開放して特別保持開口７１ａとし、特別球保持部７１のうち流路形成部材９４に対向し得る後部を開放して特別放出口７１ｂとしている。そして、回収球保持部７２のうち側方案内路６９の下流端６９ｂに対向し得る箇所（言い換えると誘導回転体６６の外周側に位置する箇所）を開放して回収保持開口７２ａとし、回収球保持部７２のうち流路形成部材９４に対向し得る後部を開放して回収放出口７２ｂとしている。
【００３０】
さらに、回収球保持部７２の深さ（誘導回転体６６の半径方向に沿った長さ）を球回収口７４と連通可能な深さに設定し、特別球保持部７１の深さを回収球保持部７２の深さよりも深く設定している。そして、特別入賞口７３が特別放出口７１ｂ（特別球保持部７１）のうち誘導回転軸６７側の部分と前後に重なって遊技球が通過可能な広さの貫通穴を形成して連通する一方、回収放出口７２ｂ（回収球保持部７２）のうち誘導回転軸６７側の部分と前後に重なると、遊技球が通過不能な程度の狭い貫通穴を形成して連通する。したがって、側方案内路６９から流下してきた遊技球を特別保持開口７１ａへ通して特別球保持部７１内へ受け入れて保持した場合には、この状態で誘導回転体６６（特別球保持部７１）を誘導回転軸６７周りに回転して特別放出口７１ｂと特別入賞口７３とを連通すると、特別球保持部７１内の遊技球を特別放出口７１ｂから放出して特別入賞口７３へ誘導する。また、側方案内路６９から流下してきた遊技球を回収保持開口７２ａへ通して回収球保持部７２内へ受け入れて保持した場合には、この状態で誘導回転体６６（回収球保持部７２）を誘導回転軸６７周りに回転して回収放出口７２ｂと特別入賞口７３とを連通したとしても、回収球保持部７２内の遊技球を特別入賞口７３へは誘導せず、回収放出口７２ｂと球回収口７４とを連通すると、回収球保持部７２内の遊技球を回収放出口７２ｂから放出して球回収口７４へ誘導する。
【００３１】
なお、特別球保持部７１の区画壁のうち、特別入賞口７３と連通した姿勢において当該特別球保持部７１の下部に位置する箇所には、後方の特別放出口７１ｂへ向けて下り傾斜した特別転動傾斜部７１ｃを形成し、特別球保持部７１内の遊技球が特別転動傾斜部７１ｃを下ってスムーズに特別放出口７１ｂおよび特別入賞口７３へ転動できるように構成されている。また、回収球保持部７２の区画壁のうち、球回収口７４と連通した姿勢において当該回収球保持部７２の下部に位置する箇所には、後方の回収放出口７２ｂへ向けて下り傾斜した回収転動傾斜部７２ｃを形成し、回収球保持部７２内の遊技球が回収転動傾斜部７２ｃを下ってスムーズに回収放出口７２ｂおよび球回収口７４へ転動できるように構成されている。
【００３２】
さらに、回収球保持部７２のうち回収保持開口７２ａとは異なる前側（具体的には、回転パネル１２２のうち回収球保持部７２に重合する箇所）を開放して分岐側受入口７２ｄとし、誘導回転体６６を回転して分岐側受入口７２ｄが誘導回転体６６の下部に位置する姿勢で分岐側受入口７２ｄを分岐連通口８５へ連通し、遊技球を分岐案内路８３から回収球保持部７２へ受入可能としている（図９参照）。また、特別球保持部７１のうち分岐案内路８３の下流端および分岐連通口８５に対向し得る前側（具体的には、回転パネル１２２のうち特別球保持部７１に重合する箇所）には流入阻止壁７１ｄを設け、誘導回転体６６を回転して特別球保持部７１を誘導回転体６６の下部に位置させたとしても、分岐連通口８５と特別球保持部７１との間に流入阻止壁７１ｄを配置して、遊技球が分岐案内路８３から特別球保持部７１へ流入することを流入阻止壁７１ｄにより阻止するように構成されている。
【００３３】
そして、変動入賞装置７は、側方案内路６９上に出没可能な出没突起１２５を備えている。具体的に説明すると、図１３に示すように、側方案内路６９の上流側の下方および下流側の下方には縦長な出没空間部１２６をそれぞれ形成し、各出没空間部１２６には出没突起１２５を上下方向へ移動可能な状態で収納し、出没空間部１２６の前方には突起保持板１２７を止着して出没突起１２５が出没空間部１２６から脱落することを阻止している。また、両出没突起１２５の側部同士を連結部１２８で連結し、出没突起１２５の後部には板状のスライドベース１２９を出没突起１２５との間に装飾視認窓４８を挟んだ状態で止着して、両出没突起１２５、連結部１２８、スライドベース１２９が一体となって上下動できるにように構成されている。さらに、スライドベース１２９の後方には出没駆動ブラケット１３０を備え、該出没駆動ブラケット１３０には、出没突起１２５を出没駆動する出没駆動源としての出没駆動モータ１３１を出力軸が前方のスライドベース１２９側へ突出した姿勢で配置し、出力軸の先端には円板状の回転プレート１３２を止着し、該回転プレート１３２の前面のうち出力軸から外れた位置にカムフォロワ１３３を前方へ突設し、このカムフォロワ１３３をスライドベース１２９に開設された横長なカム溝１３４に摺動可能な状態で係合している。なお、出没駆動ブラケット１３０の側部には、球排出流路８１の後部を区画する排出区画壁１３５を備えている。また、空間部カバー４７には、出没突起１２５を前方へ臨ませる突起露出窓１３６を開設し、側方案内路６９上で球詰まりが発生した場合には突起露出窓１３６から棒などの球崩し部材を挿通して球詰まりを解消できるように構成されている（図９参照）。
【００３４】
このような構成の出没突起１２５および出没突起１２５の駆動機構を備えて、出没駆動モータ１３１を駆動することでカムフォロワ１３３を回転して上昇させると、カムフォロワ１３３によりカム溝１３４を上方へ押圧し、この上向きの押圧力によりスライドベース１２９および各出没突起１２５を上昇させる。そして、カムフォロワ１３３を上死点へ移動すると、出没突起１２５を最も上昇させて突出状態とし、出没突起１２５の上端面から側方案内路６９の底面までの高さを遊技球の半径よりも高く設定して、出没突起１２５が遊技球の流下を阻止する状態となる（図１４（ｂ）参照）。また、カムフォロワ１３３を回転して下降させると、カムフォロワ１３３によりカム溝１３４を下方へ押圧し、この下向きの押圧力とスライドベース１２９および出没突起１２５の自重とにより、スライドベース１２９および出没突起１２５を下降させる。そして、カムフォロワ１３３を下死点へ移動すると、出没突起１２５を最も下降させて没入状態とし、出没突起１２５の上端面と側方案内路６９の底面とが同一平面上、または遊技球が停留せずに転動可能となる高低差に設定され、遊技球の流下を許容する（図１４（ａ）参照）。なお、出没突起１２５の上端面の前縁部には、舌片状の転動ガイド１２５ａを上方へ向けて突設し、没入状態の出没突起１２５上を転動する遊技球が出没突起１２５の前方へ外れることを阻止している。
【００３５】
次に、パチンコ遊技機の遊技制御を行う遊技制御装置１４０、および該遊技制御装置１４０を中心とする制御系統について、図１５に基づいて説明する。
遊技制御装置１４０は、遊技進行を統括的に制御するメイン制御装置として機能し、遊技制御を司るマイクロプロセッサ、遊技制御のためのプログラム等を記憶しているＲＯＭ、および遊技制御時にワークエリアとして利用されるＲＡＭ、入力インターフェース、出力インターフェース等から構成されている。そして、各種検出装置（第１始動口センサ１４１、第２始動口センサ１４２、普図始動ゲートセンサ１４３、一般入賞口センサ１４４、第１大入賞球検出センサ５８、排出球検出センサ１１６、第２大入賞球検出センサ１４５、特別入賞球検出センサ１１２、回転体位置検出センサ１０８）からの検出信号を受けて、特別遊技状態（大当たり状態）や遊技者に対する報知等、種々の処理を行う。さらに、サブ制御装置となる各種制御装置（演出制御装置１４７等）の他、第１特別図柄表示器２８、第２特別図柄表示器２９、第１特図始動記憶表示器２５、第２特図始動記憶表示器２６、決定ラウンド数表示器２７、普通図柄表示器２３、普通電動役物１７ａを開閉するための普電ソレノイド１４８、開閉駆動ソレノイド５６、第２大入賞口１８を開閉するための第２大入賞口ソレノイド１４９、回転駆動モータ１０１、出没駆動モータ１３１、外部情報端子板１５０等に指令信号を送信して、遊技を統括的に制御する。
【００３６】
演出制御装置１４７は、演出制御を司るＣＰＵ、演出制御のためのプログラムを格納したＲＯＭ、画像データ等を格納した画像ＲＯＭ、演出制御時のワークエリアとして利用されるＲＡＭ、入力インターフェース、出力インターフェース等から構成されている。そして、パチンコ遊技機における遊技の進行に伴って発生する信号、具体的には、遊技制御装置１４０からの制御指令信号（演出制御データ）等に基づいて、スピーカ１５１からの効果音出力を制御したり、装飾ランプ１５２、報知装置１２内の発光体１５３、報知ランプ３１，３２、第１記憶報知ランプ３３、第２記憶報知ランプ３４、連続予告記憶表示装置１３等の発光を制御したり、報知装置１２内の駆動モータ１５４の駆動を制御したりする。
【００３７】
次に、変動入賞装置７の作用、特に遊技球が変動入賞装置７の内部へ進入した場合の作用について説明する。なお、変動入賞装置７は、予め出没駆動モータ１３１を駆動して出没突起１２５を常時上下動させて繰り返し出没動作を行わせておく。また、予め回転駆動モータ１０１を駆動して、振分回転体６１および誘導回転体６６を変動入賞装置７の正面から見て時計方向へ常時回転し、誘導回転軸６７と側方案内路６９の下流端６９ｂとの間で特別球保持部７１および回収球保持部７２を上昇させる動作を行わせておく。言い換えると、誘導回転体６６を、特別球保持部７１および回収球保持部７２が分岐案内路８３の下流端側から側方案内路６９の下流端６９ｂ側へ移動する回転方向、且つ回収球保持部７２の後に続いて特別球保持部７１が移動する状態で回転しておく。さらに、第１特図変動表示ゲームまたは第２特図変動表示ゲームを実行し、その結果態様が「当たり」となり、第１大入賞口８の開閉部材８ａを開いて遊技球の変動入賞装置７内への進入（第１大入賞口８への入賞）を許容しているものとする（図３中、Ｐ４）。
【００３８】
図１４に示すように、遊技球が第１大入賞口８を通過すると、この遊技球は、入賞球流路６０を流下して回転中の振分回転体６１の直上に落下する。その後、振分回転体６１の振分突起１１９に当接（衝突）して弾かれ、側方振分流路６４へ流下して側方案内路６９の上流端６９ａに落下したり、下方振分流路６３へ流下して球誘導棚７６に落下したりする。したがって、変動入賞装置７内の遊技球の動きを複雑にすることができる。そして、遊技球が側方振分流路６４へ流下して側方案内路６９の上流端６９ａに落下した場合には、この遊技球は、側方案内路６９を下流側へ向けて流下し、図１４（ｂ）に示すように、流下途中で出没突起１２５が突出状態に変換していれば、この出没突起１２５の側面（詳しくは側方案内路６９の上流側に臨ませた側面（図１４（ｂ）中、左側面）に当接して流下を阻止され、側方案内路６９の途中で停留する。さらに、図１４（ａ）に示すように、出没突起１２５が突出状態から没入状態へ変換すると、停留していた遊技球の側部から出没突起１２５が外れて遊技球の停留状態が解除され、遊技球が再び側方案内路６９の下流側へ向けて流下し始める。
【００３９】
遊技球が側方案内路６９の下流端６９ｂに到達し、且つ回転している誘導回転体６６の特別保持開口７１ａが側方案内路６９の下流端６９ｂへ連通すると、遊技球が特別保持開口７１ａを通って特別球保持部７１に保持され、特別球保持部７１とともに誘導回転軸６７の周りに回転して上昇する。そして、特別球保持部７１の特別放出口７１ｂと特別入賞口７３とが連通すると、遊技球が特別転動傾斜部７１ｃを下り特別放出口７１ｂを通って特別入賞口７３へ進入（入賞）し、特別入賞流路１１１を流下する。さらに、特別入賞球検出センサ１１２が特別入賞流路１１１を流下している遊技球（入賞球）を検出すると（図３中、Ｐ９）、遊技制御装置１４０は、図３に示すように、この検出信号（すなわち遊技球の特別入賞口７３への入賞を示す信号）に基づき特別遊技状態（所謂大当たり状態）を発生させて、予め定められた特別遊技価値としての遊技球（賞球）を予め設定された個数だけパチンコ遊技機から排出して遊技者へ付与するとともに、第２大入賞口１８を開放して第２大入賞口１８への入賞を許容する（Ｐ６）。
【００４０】
ここで、出没突起１２５を出没駆動モータ１３１、言い換えると回転駆動モータ１０１とは異なる出没駆動源により出没駆動しているので、誘導回転体６６および振分回転体６１の回転と、出没突起１２５の出没動作とが同期することを避けることができ、遊技者が遊技球の発射のタイミングを取って特別球保持部７１に遊技球を進入し易くなること、ひいては特別入賞口７３への入賞を獲得し易くなることを抑制することができる。さらに、振分回転体６１には、互いに離間する複数の振分突起１１９を振分回転軸６２上から外れた位置に振分回転軸６２の方向へ沿って突設しているので、遊技球の振り分けを行い易い構造の振分回転体６１を簡単な構成で実現することができるし、遊技球が振り分けられる様子を遊技者に見せ易い。
【００４１】
また、遊技球が側方案内路６９の下流端６９ｂに到達し、且つ回転している誘導回転体６６の回収保持開口７２ａが側方案内路６９の下流端６９ｂへ連通すると、遊技球が回収保持開口７２ａを通って回収球保持部７２に保持され、回収球保持部７２とともに誘導回転軸６７の周りに回転して上昇する。そして、回収球保持部７２が特別入賞口７３の前方を通過して球回収口７４の前方に到達し、回収球保持部７２の回収放出口７２ｂと球回収口７４とが連通すると、遊技球が回収転動傾斜部７２ｃを下り回収放出口７２ｂを通って球回収口７４へ進入し、球回収流路１１３を流下する。この結果、遊技制御装置１４０は、図３に示すように、遊技球の特別入賞口７３への入賞を示す信号を受けないことに基づいて「ハズレ」と判断し（Ｐ１０）、第１特図変動表示ゲームまたは第２特図変動表示ゲームにおける「当たり」状態から通常の遊技状態Ｐ８に戻す。
【００４２】
そして、振分回転体６１において遊技球が下方振分流路６３へ振り分けられて球誘導棚７６に落下した場合には、図９に示すように、この遊技球は、球誘導棚７６を下って球開放口７８を通り、球移動空間部４６から放出されて下方案内路７９へ流下し、屈曲部７９ａへ到達する。そして、遊技球の転動勢が弱い場合には、屈曲部７９ａから後方へ転動して球排出口８０を通り、球排出流路８１へ流下する。この結果、遊技制御装置１４０は、遊技球の特別入賞口７３への入賞を示す信号を受けないことに基づいて「ハズレ」と判断し、第１特図変動表示ゲームまたは第２特図変動表示ゲームにおける「当たり」状態から通常の遊技状態Ｐ８に戻す（図３参照）。
【００４３】
一方、下方案内路７９の屈曲部７９ａにおいて遊技球の転動勢（横方向の転動勢）が強い場合には、球排出口８０へ向かわずに分岐案内路８３へ進入し、分岐案内路８３の下流端を通過して分岐転動傾斜部８４を下って分岐連通口８５に到達する（図９参照）。このとき、回収球保持部７２が分岐連通口８５の後方に位置して分岐連通口８５と分岐側受入口７２ｄとが連通していれば、遊技球は、分岐連通口８５を通って回収球保持部７２に保持される。そして、回収球保持部７２とともに上昇し、球回収口７４へ流入する。しかしながら、特別球保持部７１が分岐連通口８５の後方に位置していれば、流入阻止壁７１ｄが分岐連通口８５を閉成するため、特別球保持部７１へ進入することを阻止され、特別球保持部７１の後に続いて回転移動してくる回収球保持部７２が分岐連通口８５と連通したときに、この回収球保持部７２へ進入する。したがって、遊技球が振分回転体６１により下方案内路７９へ振り分けられた場合には、この遊技球が特別入賞口７３へ入賞せずに球回収口７４へ回収される。これにより、変動入賞装置７内の遊技球が特別入賞口７３へ入賞する確率が高くなりすぎることを抑えることができる。
【００４４】
そして、遊技球が下方案内路７９および分岐案内路８３を通って回収球保持部７２に保持された場合には、変動入賞装置７は、この遊技球を単に球回収口７４へ誘導するのではなく、後続して変動入賞装置７内に流入してきた遊技球が特別入賞口７３へ入賞することを補助する補助部材として機能させる。具体的に説明すると、図１６に示すように、回収球保持部７２に遊技球を分岐案内路８３から受け入れて保持すると、この回収球保持部７２には他の遊技球を保持できない状態となる（図１６（ａ）参照）。この状態で遊技球を保持した回収球保持部７２を上昇させて回収保持開口７２ａを側方案内路６９の下流端６９ｂへ連通したときに、後から変動入賞装置７内に流入してきた遊技球（後続球）が振分回転体６１で側方案内路６９へ振り分けられて下流端６９ｂへ到達したとしても、先に回収球保持部７２に保持されていた遊技球が後続球の回収球保持部７２への進入を阻止することができる（図１６（ｂ）参照）。さらに、遊技球を保持済みの回収球保持部７２の直後に特別球保持部７１が回転移動してきて側方案内路６９の下流端６９ｂに特別保持開口７１ａを連通すれば、回収球保持部７２への進入を阻止された遊技球が特別保持開口７１ａを通過して特別球保持部７１へ保持される（図１６（ｃ）参照）。したがって、遊技球が分岐案内路８３から回収球保持部７２へ保持された場合には、側方案内路６９から誘導回転体６６へ向けて案内される別個の遊技球が、回収球保持部７２の後に続いて移動してくる特別球保持部７１へ進入し易くなる。このことから、球回収口７４へ案内される遊技球に、後続の遊技球の特別球保持部７１への進入、ひいては特別入賞口７３への入賞を補助する機能を持たせることができる。これにより、遊技者は、遊技球が回収球保持部７２に保持されて球回収口７４に回収されることになったとしても、この遊技球の作用に注目するようになり、遊技の興趣の向上を図ることができる。
【００４５】
また、遊技制御装置１４０は、変動入賞装置７内における球詰まり、特に下方案内路７９から分岐案内路８３を通って案内される遊技球が誘導回転体６６と空間部カバー４７との間、詳しくは分岐側受入口７２ｄの開口縁と分岐連通口８５との間に噛まれて詰まっているか否かを監視する処理を行う。具体的に説明すると、図１７に示すように、まず、予め設定された監視期間において第１大入賞球検出センサ５８で検出された入賞球数と同数の排出球数が排出球検出センサ１１６で検出されたか否かを判定する（Ｓ１）。同数検出がされていない場合には、最後の入賞球を第１大入賞球検出センサ５８で検出してから予め設定された第１監視時間（具体的には１つの遊技球が第１大入賞球検出センサ５８から排出球検出センサ１１６まで移動するのに十分な時間）が経過したか否かを判定する（Ｓ２）。また、第１監視時間が経過していたならば、第１監視時間よりも長い第２監視時間が経過していたか否かを判定し（Ｓ３）、第２監視時間がまだ経過していなければ、パチンコ遊技機に配置された球詰まり報知ランプ（図示せず）を発光する等して球詰まり報知処理を行い（Ｓ４）、未処理となっている各特図変動表示ゲームの実行を保留し、各特図変動表示ゲームの結果として第１大入賞口８が開いて遊技球が変動入賞装置７内へ流入することを避ける（Ｓ５）。一方、ステップＳ３において第２監視時間が経過したと判断された場合には、回転駆動モータ１０１を逆回転させて誘導回転体６６を変動入賞装置７の正面から見て反時計方向へ回転し、誘導回転体６６と空間部カバー４７との間で発生していた球詰まりを解消する（Ｓ６）。そして、ステップＳ１において同数検出がされていた場合、ステップＳ２において第１監視時間が経過していない場合、ステップＳ５において各特図変動表示ゲームの実行を保留した後、ステップＳ６において回転駆動モータ１０１を逆回転した後においては、普図変動表示ゲームを保留せずに実行可能として（Ｓ７）、監視処理を終了する。
【００４６】
ところで、上記実施形態においては、振分回転体６１に設けられた２つの振分突起１１９の間隔を遊技球の直径よりも狭く設定したが、本発明はこれに限定されない。例えば、両振分突起１１９の振分回転軸６２側に位置する縁部同士の間隔Ｄを遊技球の直径よりも広く設定すれば、振分回転体６１の直上に到達した遊技球が下方振分流路６３を通らずに両振分突起１１９の間を通り、球誘導棚７６へ直接落下することも発生し得る。したがって、振分回転体６１により振り分けられる遊技球の流下方向が変化に富むように設定することができて好適である。また、振分回転体６１に設ける振分突起１１９は２つに限定されず、複数であれば幾つでもよい。
【００４７】
また、上記実施形態では、代表的な遊技機であるパチンコ遊技機を例にして説明したが、本発明はこれに限らず、開閉部材を開いて遊技球を内部へ流入可能となる変動入賞装置を備え、該変動入賞装置内には、遊技球が入賞可能な特別入賞口と、該特別入賞口へ入賞しない遊技球を回収する球回収口と、を設け、遊技球の特別入賞口への入賞に基づき特別遊技状態を発生させて、予め定められた特別遊技価値を遊技者へ付与可能な遊技機遊技機であればどのような遊技機でもよい。例えば、封入球式パチンコ機、アレンジボール式遊技機、雀球式遊技機等の遊技機であってもよい。
【００４８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００４９】
１  遊技盤
７  変動入賞装置
８  第１大入賞口
８ａ  開閉部材
１６  第１始動口
１７  第２始動口
１７ａ  普通電動役物
１８  第２大入賞口
４１  ベースユニット
４２  回転体ユニット
４３  可動装飾ユニット
４６  球移動空間部
４７  空間部カバー
４８  装飾視認窓
５６  開閉駆動ソレノイド
５８  第１大入賞球検出センサ
６０  入賞球流路
６１  振分回転体
６２  振分回転軸
６６  誘導回転体
６７  誘導回転軸
６９  側方案内路
６９ａ  上流端
６９ｂ  下流端
７１  特別球保持部
７１ａ  特別保持開口
７１ｂ  特別放出口
７１ｃ  特別転動傾斜部
７１ｄ  流入阻止壁
７２  回収球保持部
７２ａ  回収保持開口
７２ｂ  回収放出口
７２ｃ  回収転動傾斜部
７２ｄ  分岐側受入口
７３  特別入賞口
７４  球回収口
７９  下方案内路
８０  球排出口
８３  分岐案内路
８５  分岐連通口
１０１  回転駆動モータ
１０２  駆動ギア
１０３  振分回転ギア
１０４  誘導回転ギア
１１１  特別入賞流路
１１８  振分回転基部
１１９  振分突起
１２１  誘導基部
１２２  回転パネル
１２５  出没突起
１２６  出没空間部
１３１  出没駆動モータ
【図１】
2010214044.tif 000003
【図２】
2010214044.tif 000004
【図３】
2010214044.tif 000005
【図４】
2010214044.tif 000006
【図５】
2010214044.tif 000007
【図６】
2010214044.tif 000008
【図７】
2010214044.tif 000009
【図８】
2010214044.tif 000010
【図９】
2010214044.tif 000011
【図１０】
2010214044.tif 000012
【図１１】
2010214044.tif 000013
【図１２】
2010214044.tif 000014
【図１３】
2010214044.tif 000015
【図１４】
2010214044.tif 000016
【図１５】
2010214044.tif 000017
【図１６】
2010214044.tif 000018
【図１７】
2010214044.tif 000019